(57)【要約】      （修正有）【課題】傾いた鋼矢板に対し、少ない部品で型枠パネルを垂直に設置できる永久型枠の取り付け構造と位置決め部材を提供する。【解決手段】この永久型枠の取り付け構造は、鋼矢板１等の前面に固着された底板及び複数の梁受け４と、梁受け４に水平に取り付けるための水平梁６と、型枠パネル１５の各孔ピッチに対応する間隔て前記水平梁に固着された複数のボルトスタッド７と、ボルトスタッドに設けられたストッパ９と、前記パネルをボルトスタッドに嵌合した後に固定する締結部材８とから成る位置決め部材が使用される。【選択図】図１
2009215862.tif 000002
【特許請求の範囲】
【請求項１】
鋼矢板（１）等の前面に固着された底板（３）及び複数の梁受け（４）と、各梁受けに取り付けられた水平梁（６）と、予め水平梁に固着された複数のボルトスタッド（７）と、ボルトスタッドに設けられたストッパ（９）と、鋼矢板の外側に配置された鉄筋（１４）と、前記底板に載置された型枠パネル（１５）と、パネルの前記ボルトスタッドの対応位置に設けられた孔（１６）と、前記パネルをボルトスタッドに嵌合した後に固定する締結部材（８）とから成る永久型枠の取り付け構造。
【請求項２】
鋼矢板（１）の梁受け（４）に水平に取り付けるための水平梁（６）と、型枠パネル（１５）の各孔ピッチに対応する間隔で前記水平梁に固着された複数のボルトスタッド（７）と、ボルトスタッドに設けられたストッパ（９）と、前記パネルをボルトスタッドに嵌合した後に固定する締結部材（８）とから成る永久型枠の位置決め部材。
【発明の詳細な説明】
【技術分野】
【０００１】  本発明は、永久型枠を用いて鋼矢板等の鋼構造物を防食、補強するための取り付け構造とこれに用いられる位置決め部材に関する。
【背景技術】
【０００２】  従来、鋼矢板の防食対策としてはその形状に沿った凹凸のＦＲＰカバーを金具で鋼矢板の海側に取り付け、カバー内にモルタルを充填して固化させるのが一般的である。しかし、実際の鋼矢板は歪みや傾斜が多くて凹凸カバーを整列させるのが困難であり、また凹凸カバーは材料や製作のコストが高くなる欠点がある。【０００３】  このため近年、凹凸ではなくフラットのカバーを用いて不揃いの鋼矢板に対しても簡単に取り付けられる構造が普及している。さらにＦＲＰカバーと内部のモルタルはどうしても密着力が悪いので、これを改善するためカバー自体をコンクリート製の型枠にしたり、予めＦＲＰとコンクリートの２層にした永久型枠も現れている。【０００４】  一方、フラットカバーを鋼矢板に取り付ける手段としては、第１に実開昭６０−１５９０６１号のように鋼矢板の前面に複数のスタッドやブラケットを溶接し、これにカバーを取り付けた後に外からナットで締め付ける方法があげられる。第２に特開昭５７−１３７５２９号のように鋼矢板に縦長のＴ字金具やフックを溶接し、このＴ字金具に上からコンクリート型枠を落とし込んで固定する方法がある。【０００５】  しかし、設置後長期間経過した鋼矢板は腐蝕により薄くなっているので、ボルトスタッドを溶接しても固着力が弱く、しかも多数のスタッドを水平に溶接するのは難作業である。また、フラットなカバーや型枠は凹凸カバーに比べるとモルタルの充填量が多いのでモルタル圧も大きく、樹脂カバーが変形したり、フック方式では引掛け部分が外れる欠点がある。さらに、歪みや前後左右に傾斜した鋼矢板に前述の方式でカバーや型枠を取り付けると、型枠自体も傾く難点がある。【０００６】  前述の欠点を改善する構造としては、特開平９−２７９５６８号及び特開２００１−１３１９５６号があり、これらの発明では、金具を各方向に調整してから永久型枠を固定するので、全ての型枠が垂直に取り付けられる。【０００７】
【特許文献１】実開昭６０−１５９０６１号
【特許文献２】特開昭５７−１３７５２９号
【特許文献３】特開平９−２７９５６８号
【特許文献４】特開２００１−１３１９５６号
【発明の開示】
【発明が解決しようとする課題】
【０００８】  しかし、前記文献３，４の構造は、部品点数が多いため海中及び海上工事に手間がかかり、特にこの種の工事ではダイバ−の海中作業を伴うので現場からは簡単な構造にしてほしいとの要望がある。【０００９】  本発明は、かかる事情に鑑みてなされたものであり、その目的は、傾斜した鋼矢板に対して少ない部品で型枠パネルを垂直に設置できる永久型枠の取り付け構造とこれに適した位置決め部材を提供することにある。
【課題を解決するための手段】
【００１０】  上記目的を達成するため、請求項１の取り付け構造は、鋼矢板等の前面に固着された底板及び複数の梁受けと、各梁受けに取り付けられた水平梁と、予め水平梁に固着された複数のボルトスタッドと、ボルトスタッドに設けられたストッパと、鋼矢板の外側に配置された鉄筋と、前記底板に載置された型枠パネルと、パネルの前記ボルトスタッドの対応位置に設けられた孔と、前記パネルをボルトスタッドに嵌合した後に固定する締結部材とから構成されている。また、請求項２の位置決め部材は、鋼矢板の梁受けに水平に取り付けるための水平梁と、型枠パネルの各孔ピッチに対応する間隔で前記水平梁に固着された複数のボルトスタッドと、ボルトスタッドに設けられたストッパと、前記パネルをボルトスタッドに嵌合した後に固定する締結部材とから構成されている。
【発明の効果】
【００１１】  請求項１の発明により、傾いた鋼矢板であっても永久型枠を垂直に設置でき、請求項２の位置決め部材を用いることにより、少ない工程で型枠取り付け工事を行なえる効果がある。
【発明を実施するための最良の形態】
【００１２】  図１，２，３は各々本発明が連用された永久型枠の取り付け構造の平面図、一部切欠き正面図及び側面図、図４は位置決め部材の側面図で、鋼矢板１の前面にはモルタルとの密着性を高めるためスタッドジベル２、鋼矢板１の下方には型枠支持用の底板３が固着されている。【００１３】  鋼矢板１の凸部前面には、アングル鋼を用いた複数の梁受け４が溶接され、この梁受け４は図２から示すように上下８段にわたって設けられている。鋼矢板１が傾いている場合（図３参照）は、長さの異なる梁受けを用いてそれらの先端が鉛直方向に揃えるのが望ましい。各段の梁受け４には、細長い位置決め金具５が載置６が載置固定され、金具５は図４に拡大して示すように水平梁６、ボルトスタッド７、締結用ナット８、ストッパ用ナット９、固着用ナット１０、ワッシャ１１，１２から構成されている。【００１４】  この実施例では、水平梁６に既成の安価なＨ鋼が使用されている。水平梁６には、一定間隔で角孔１３が形成され、後に充填されるモルタルがこの角孔１３を通って上下に行き渡るようになっている。金具５のうち、ボルトスタッド７、ナット８及びワッシャ１１は、海側に突出するためステンレスのような耐食性材料を用いるのが望ましい。他のナット９，１０とワッシャ１２は、最終的にモルタルに埋没するので既製品で十分である。ボルトスタッド７，７の間隔は、後述する型枠パネルの孔ピッチと合致している。位置決め金具５は、予め工場で一体に製造される。【００１５】  水平梁６の海側（図１の下側、図３では左側）には、モルタルを補強するための格子鉄筋１４がほぼ平行に配置され、鉄筋１４の前面に永久型枠１５が設置されている。永久型枠１５は、予め工場でＦＲＰにコンクリートを充填して所定サイズに形成しておくのが望ましい。この実施例では、上下５段に分割した型枠パネル５ａ〜５ｅを用いることで、運搬及び取り付けを容易にしている。最下段のパネル１５ｅには、シ−ト１７（図３参照）を取り付けて底板３との隙間を塞ぎ、モルタルの漏れを防止している。各パネルには、ボルトスタッド７と対応する位置にスタッドの直径よりも大きめの孔１６が形成されている。【００１６】  次に永久型枠１４の取り付け順序について説明すると、まず鋼矢板１の凹部にスタッドジベル２を、海中部分に底板３を固着し、鋼矢板１の凸部１つおきに梁受け４を計器を用いて水平に溶接する。続いてクレ−ン（図示せず）を用いて位置決め金具５を梁受け４に載置固定する。このときスタッド前方のナット８とワッシャ１１は外しておく。【００１７】  次にクレーンで格子鉄筋１４を底板３上に載置し、溶接等でほぼ垂直に固定する。続いてクレ−ン及びロ−プを用いて型枠パネル１５ａ〜１５ｅを位置決め金具のボルトスタッド７に順次はめ込んでいく。ボルトスタッド７にはストッパとしてのナット９とワッシャ１２がついているので、各パネルを押し込むたけで垂直に位置決めされる。次にパネルの孔１６から出ているボルトスタッド部分にワッシャ１１及びナット８を嵌合して締め付ける。【００１８】  各型枠１５の取り付けが終了したら、鋼矢板１と型枠１５の間にモルタル（図示せず）を充填する。位置決め金具の水平梁６には角孔１３が設けられているので���梁６がモルタルの流入を妨げることはない。モルタルは、スタッドジベル２、梁６、格子鉄筋１４及び型枠パネル内面のコンクリート層と結合するので、外部から衝撃があっても型枠１５や鋼矢板１から剥離することがない。本実施例では、サイズの異なる梁受け４を使用したが、ボルトスタッド７のストッパ用ナット位置を調節すれば同一サイズの梁受けでも鋼矢板の傾斜に対応できる。
【図面の簡単な説明】
【００１９】
【図１】  型枠取り付け構造の平面図である。
【図２】  型枠の一部を切り欠いた正面図である。
【図３】  型枠取り付け構造の側面図である。
【図４】  位置決め金具の側面図である。
【符号の説明】
【００２０】  １    鋼矢板
４    梁受け
５    位置決め金具
６    水平梁
７    ボルトスタッド
８，９  ナット
１５    永久型枠
【図１】
2009215862.tif 000003
【図２】
2009215862.tif 000004
【図３】
2009215862.tif 000005
【図４】
2009215862.tif 000006